(57)【要約】スパウトアセンブリには、パウチ容器に接着される接着部と、前記接着部と一体に延設される排出部と、容器の内容物を容易に排出する排出誘導部を含んで、前記排出誘導部はパウチ容器の内に配置される。前記排出誘導部は商品、情報または美感を示す特定形状部を有する。
2005500950.tif 000002
【特許請求の範囲】
【請求項１】
パウチ容器に接着される接着部；
前記接着部の上方に延設されて排出孔を有する排出部；および
前記接着部の下方に延設されて、商品の性格および他の情報を表現し、美感を増進することができる特定形状部を有する排出誘導部を含むパウチ容器用スパウトアセンブリ。
【請求項２】
前記特定形状部は、文字、キャラクタ、ミニアチュア、ロゴからなる群から選ばれた少なくとも一つの形状に形成される請求項１記載のパウチ容器用スパウトアセンブリ。
【請求項３】
前記排出誘導部は、前記接着部と一体に形成される請求項１記載のパウチ容器用スパウトアセンブリ。
【請求項４】
前記排出誘導部は、前記接着部と分離されて前記パウチ容器の内壁に付着される請求項１記載のパウチ容器用スパウトアセンブリ。
【請求項５】
前記スパウトアセンブリは、前記排出誘導部を所望の角度に折綴できる折綴手段をさらに含む請求項３記載のパウチ容器用スパウトアセンブリ。
【請求項６】
前記折綴手段は、前記接着部から延長して固定された固定突起と、前記固定突起と噛み合って排出誘導部の折り角を維持できる作動突起と、前記接着部から延長して作動突起を支持する作動突起支持部を含む請求項５記載のパウチ容器用スパウトアセンブリ。
【請求項７】
前記スパウトアセンブリは、前記接着部の下部に形成されて、接着部のパウチ容器のパウチ接着部への挿入を誘導する挿入誘導部をさらに含む請求項１記載のパウチ容器用スパウトアセンブリ。
【請求項８】
前記挿入誘導部は、接着部の下方に向かうにしたがって狭く形成される請求項７記載のパウチ容器用スパウトアセンブリ。
【請求項９】
前記排出誘導部は、無公害性袋で重なっている請求項１記載のパウチ容器用スパウトアセンブリ
【請求項１０】
前記排出部に蓋が一体、または別体として形成されている請求項１記載のパウチ容器用スパウトアセンブリ。
【請求項１１】
パウチ容器に接着される接着部；
前記接着部の上方に延設されて排出孔を有する排出部；および
前記接着部の下方に延設されて、折綴手段により所望の角度で折綴できる排出誘導部を含むパウチ容器用スパウトアセンブリ。
【請求項１２】
前記排出誘導部は、商品の性格および他の情報を表現し、美感を増進することができる特定形状部を含む請求項１１記載のパウチ容器用スパウトアセンブリ。
【請求項１３】
前記特定形状部は、文字、キャラクタ、ミニアチュア、ロゴからなる群から選ばれた少なくとも一つの形状に形成される請求項１２記載のパウチ容器用スパウトアセンブリ。
【請求項１４】
前記排出誘導部は、前記接着部と一体に形成される請求項１１記載のパウチ容器用スパウトアセンブリ。
【請求項１５】
前記排出誘導部は、前記接着部と分離されて前記パウチ容器の内壁に付着される請求項１２記載のパウチ容器用スパウトアセンブリ。
【請求項１６】
前記折綴手段は、前記接着部から延長して固定された固定突起と、前記固定突起と噛み合って排出誘導部の折り角を維持できる作動突起と、前記接着部から延長して作動突起を支持する作動突起支持部を含む請求項１１記載のパウチ容器用スパウトアセンブリ。
【請求項１７】
前記スパウトアセンブリは、前記接着部の下部に形成されて、接着部のパウチ容器のパウチ接着部への挿入を誘導する挿入誘導部をさらに含む請求項１１記載のパウチ容器用スパウトアセンブリ。
【請求項１８】
前記挿入誘導部は、接着部の下方に向かうにしたがって狭く形成される請求項１７記載のパウチ容器用スパウトアセンブリ。
【発明の詳細な説明】
【技術分野】
【０００１】
本発明は液体容器用スパウトアセンブリに関し、より詳しくは、特別なイメージまたは情報を伝達できる特定の形状を持つように構成されて、これが適用される商品の価値を向上させることができる液体容器用スパウトアセンブリに関する。
【０００２】
また、本発明はパウチの接着部に容易に位置できる構造を有する液体容器用スパウトアセンブリに関する。
【背景技術】
【０００３】
韓国実用新案登録出願公開第１９９１−５７４０号明細書はパウチ用スパウトアセンブリを開示している。このスパウトアセンブリは蓋が装着された開口部と、パウチ容器に接着される接着部と、前記開口部と連通されて容器の内容物を排出するための導管部からなる。
【０００４】
このような従来のスパウトアセンブリにおいて、前記接着部は熱接着によってパウチ容器に予め設定されたパウチ接着部に位置された状態に密封接着される。
【０００５】
しかしながら、スパウトアセンブリの接着部をパウチ接着部に位置させるとき、別途の案内手段が用意されないので、スパウトアセンブリの接着部をパウチ接着部に容易に、かつ正確に位置づけるのが難しい。その結果、この位置づけ作業中にパウチ接着部が損傷する場合もある。
【０００６】
最近は、パウチに入れた内容物を確認しようとする消費者のために、透明パウチ容器が多く用いられている。しかし、前記透明パウチ容器を使用する場合、透明パウチ容器を通して見えるスパウトアセンブリの形状が単純であるため、パウチ容器全体の美感が低下する欠点がある。
【０００７】
また、前記従来のスパウトアセンブリは折って綴ることが不自由であるので、包装容器をパッケージ化することがきわめて困難である。
【発明の開示】
【０００８】
従って、本発明は前記のような従来技術の問題点を解消するために案出されるものである。
【０００９】
本発明の第一の目的は、より易しく精密にパウチ接着部に挿入されて、生産性の向上と不良率を減らすことができるスパウトアセンブリを提供するものである。
【００１０】
本発明の第二の目的は、商品の性格を表現したり、情報を伝達することができる特定の形状を有して、製品の美感を向上させることができるスパウトアセンブリを提供するものである。
【００１１】
本発明の第三の目的は、折って綴ることができるし、適用された製品のパッキジングが容易になっている、スパウトアセンブリを提供するものである。
【００１２】
これを実現するために、本発明は、パウチ容器に接着される接着部と、前記接着部の上方に延設されて排出孔を有する排出部と、前記接着部の下方に延設されて商品の性格および他の情報を表現したり、または美感を増進することができる特定形状部を有する排出誘導部を含むパウチ容器用スパウトアセンブリを提供する。
【００１３】
望ましくは、前記特定形状部は、文字、キャラクタ、ミニアチュア、ロゴからなる群から選ばれた少なくとも一つの形状に形成される。
【００１４】
また、前記排出誘導部は、前記接着部と一体に、または分離されて形成される。
【００１５】
前記スパウトアセンブリは、前記排出誘導部を所望の角度に折綴できる折綴手段をさらに含む。
【００１６】
望ましくは、前記折綴手段は、前記接着部から延長して固定された固定突起と、前記固定突起と噛み合って排出誘導部の折り角を維持できる作動突起と、前記接着部から延長して作動突起を支持する作動突起支持部を含む。
【００１７】
望ましくは、前記スパウトアセンブリは、前記接着部の下部に形成されて、接着部のパウチ容器のパウチ接着部への挿入を誘導する挿入誘導部をさらに含んで、前記挿入誘導部は接着部の下方に向かうにつれて狭く形成される。
【００１８】
また、前記排出誘導部は、無公害性袋で重なっており、前記排出部には蓋を別体、または一体に形成することができる。
【発明を実施するための最良の形態】
【００１９】
以下、本発明の好ましい実施の形態を添付した図面を参照して説明する。
【００２０】
本発明のパウチ容器は比較的柔軟な物性を有する多層フィルムを素材としてする。図１は本発明の第１実施の形態に従うスパウトアセンブリを示している。
【００２１】
図示したように、本発明のスパウトアセンブリ１は、パウチ容器に接着される接着部２と、前記接着部２から上方に延長して排出孔４を有する排出部３と、前記接着部２から下方に延長する排出誘導部５を含んでいる。また、前記排出部３の汚染を防止するために、排出部３の下側に密閉突起７が形成されていて、蓋に設けられた密閉溝と噛み合ってシーリングされて外部の汚染物質が排出部３に侵入することを防止する。
【００２２】
以上のようなスパウトアセンブリ１において、前記接着部２と排出誘導部５の間には挿入誘導部６を形成する。
【００２３】
前記挿入誘導部６は下方に向かうにつれて狭くなる形態になって容易に挿入されることができる。
【００２４】
また、前記排出誘導部５の一部または全部は、キャラクタ、ミニアチュア、ロゴ、および広告文字などのような特別な形状または広告情報を有するように構成されて、使用者は前記排出誘導部から美的感覚を感じ、または情報を受けることかできる。
【００２５】
この実施の形態では、排出誘導部の一部が会社の商標を示する形状を備え、当該会社の商標に対する認知度を高める。
【００２６】
図２は図１の変形例として、この実施の形態では、前記排出誘導部に会社のホームページの住所が入って使用者にホームページ情報の伝達をしている。
【００２７】
図３乃至図５は図１の変形例として、この実施の形態では、前記排出誘導部に製品に対する好感を与える独特なキャラクタが形成されている。
【００２８】
図６は本発明のスパウトアセンブリがパウチ容器に適用された状態を示している。図示した通り、接着部２がパウチ容器１００のパウチ接着部２′に位置された状態で、接着部２とパウチ接着部２′は、例えば、熱接着などによって互いに密封される。
【００２９】
スパウトアセンブリ１の接着部２がパウチ接着部２′に位置づけられるものを図１４と共により詳しく説明する。
【００３０】
スパウトアセンブリ１を挿入幅Ａを有するパウチ接着部２′の入口に位置づけられた状態で幅Ａ′を有する接着部２をパウチ接着部２′に正確に一致することは難しい。すなわち、挿入段階において、接着部２とパウチ接着部２′のいずれか一方の側に外れる状態が発生しうる。
【００３１】
このような外れる程度は幅Ｂと同一である。しかしながら、前記スパウトアセンブリ１は前記接着部２と排出誘導部５の間に形成された挿入誘導部６が提供される。前記挿入誘導部６は下方に向かうにつれて狭くなる形態に構成される。即ち、挿入誘導部６の最上段幅は接着部２の幅と同一であり、挿入誘導部６の最下段幅は排出誘導部５の幅と同一である。その結果、スパウトアセンブリ１はパウチ接着部２′に挿入されて、前記外れる程度は挿入誘導部６により補償されて接着部２がパウチ接着部２′に容易に位置づけられる。
【００３２】
このように、接着部２がパウチ容器１００のパウチ接着部２′に容易に位置づけられた状態で、接着部２がパウチ接着部２′に熱処理で接着される。
【００３３】
図７は本発明の第２実施の形態に従うスパウトアセンブリを示す。この実施の形態のスパウトアセンブリは排出部３０が折って綴ることができる。
【００３４】
即ち、接着部２の上側に折綴案内部３１が設けられ、排出部を折って綴ることができる。この場合、排出部が垂直状態から水平状態に折って綴られるので、空間活用度を改善できる。
【００３５】
図８は図７の変形例として、蓋３２が排出部３０と一体に形成されていることを示す。以上の第２実施の形態で、スパウトアセンブリの他の部分は前記第１実施の形態と同一であるので、その説明は省略する。
【００３６】
図９は本発明の第３実施の形態に従うスパウトアセンブリを示す図である。この実施の形態のスパウトアセンブリは、排出誘導部５が一定角度に折れて構成されることを除くと、第１実施の形態と同一である。排出誘導部５が折れて構成される場合、内容物の排出誘導に長所を有する。
【００３７】
図１０は本発明の第４実施の形態に従うスパウトアセンブリを示す図である。この実施の形態では、前記接着部２の下方に、作動突起９０と選択的に結合されて、端部が円弧形状になっている固定突起６０が形成されている。前記作動突起９０は作動突起支持部７０によって固定され、前記支持部には折綴溝８０が形成されている。そして、排出誘導部１０は前記作動突起９０の下部に延設される。
【００３８】
従って、前記折綴溝８により支持部７が一方の側に折れるようになり、作動突起９０が前記固定突起６０の円弧面を伝わって超えながら結合されてスパウトアセンブリ１の折り角を維持するようになっている。
【００３９】
図１１は図１０の変形例として、排出誘導部５が特定な形状を有して形成されている例を示す。
【００４０】
図１２は本発明の第５実施の形態によるスパウトアセンブリを図示している図として、排出誘導部の役割をするキャラクタが袋５′に被せていて、パウチ容器１００に充填されている内容物と直接に接触することを防止している。
【００４１】
図１３は本発明の第６実施の形態によるスパウトアセンブリを図示している図として、キャラクタが形成されている排出誘導部５を内容物の流動または外部の力によって動くことができるようにピボット突起５０の上に結合された。
【００４２】
図１５は本発明の第７実施の形態によるスパウトアセンブリを図示している図として、この実施の形態では、蓋３０が排出部３と一体に形成されている。
【００４３】
図１６は本発明の第８実施の形態によるスパウトアセンブリを図示している図として、この実施の形態では、スパウトアセンブリの排出誘導部を分離して、例えば、キャラクタなどの形状にした後、パウチ容器の内壁に付着して排出誘導部の役割ができるようにする。
【産業上の利用可能性】
【００４４】
前記のように、本発明のスパウトアセンブリは、より易しく精密にパウチ接着部に挿入されて、生産性の向上と不良率を減らす。また、スパウトアセンブリが商品の性格を表現したり、イメージを伝達できる特定の形状を持つように構成されて、これが適用される商品の美感を向上させることができる。
【００４５】
また、本発明のスパウトアセンブリは、折って綴ることができるし、その状態を維持できるように構成されて、パウチ容器の積層ができるので物流価額を減らすことができ、表示することも便利である。
【図面の簡単な説明】
【００４６】
【図１】本発明の第１実施の形態によるパウチ用スパウトアセンブリを示す斜視図である。
【図２】本発明の第１実施の形態の多様な変形例を示す図である。
【図３】本発明の第１実施の形態の多様な変形例を示す図である。
【図４】本発明の第１実施の形態の多様な変形例を示す図である。
【図５】本発明の第１実施の形態の多様な変形例を示す図である。
【図６】本発明のスパウトアセンブリがパウチ容器に適用されたものを示す一部切り欠き斜視図である。
【図７】本発明の第２実施の形態によるスパウトアセンブリを示している斜視図である。
【図８】第２実施の形態の変形例を示している断面図である。
【図９】本発明の第３実施の形態によるパウチ用スパウトアセンブリを示す正面図である。
【図１０】本発明の第４実施の形態によるパウチ用スパウトアセンブリを示す正面図である。
【図１１】第４実施の形態の変形例を示している図面である。
【図１２】本発明の第５実施の形態によるパウチ用スパウトアセンブリを示す正面図である。
【図１３】本発明の第６実施の形態によるパウチ用スパウトアセンブリを示す正面図である。
【図１４】本発明のスパウトアセンブリがパウチ容器の接着部に挿入されることを示す図である。
【図１５】本発明の第７実施の形態に従うパウチ用スパウトアセンブリを示す斜視図である。
【図１６】本発明の第８実施の形態に従うパウチ用スパウトアセンブリを示す正面図であり、排出誘導部がスパウトアセンブリから分離されてパウチ容器の内部に形成される。
【国際公開パンフレット】
2005500950.tif 000003
2005500950.tif 000004
2005500950.tif 000005
2005500950.tif 000006
2005500950.tif 000007
2005500950.tif 000008
2005500950.tif 000009
2005500950.tif 000010
2005500950.tif 000011
2005500950.tif 000012
2005500950.tif 000013
2005500950.tif 000014
2005500950.tif 000015
2005500950.tif 000016
2005500950.tif 000017
2005500950.tif 000018
2005500950.tif 000019
2005500950.tif 000020
2005500950.tif 000021
2005500950.tif 000022
2005500950.tif 000023
2005500950.tif 000024
2005500950.tif 000025
2005500950.tif 000026
2005500950.tif 000027
2005500950.tif 000028
2005500950.tif 000029
2005500950.tif 000030
2005500950.tif 000031
2005500950.tif 000032
2005500950.tif 000033
2005500950.tif 000034
2005500950.tif 000035
2005500950.tif 000036
【国際公開パンフレット（コレクトバージョン）】
2005500950.tif 000037
2005500950.tif 000038
【国際調査報告】
2005500950.tif 000039
2005500950.tif 000040